(57)【要約】【課題】放射線像の読み取りの感度が向上する放射線像の読み取り装置を提供する。【解決手段】放射線像の読み取り装置は、イメージングプレートから放射線像を読み取る。読み取り装置は、イメージングプレートを平坦に保持する保持体と、励起光を放射する光源と、保持体に保持されたイメージングプレートの放射線像形成面を含む走査面に垂直で光源から離れた回転軸の周りに前記光源から放射された励起光の光路を回転させ、光源から放射された励起光が照射される照射点を走査面において円運動させる走査機構と、回転軸上に設けられ照射点から放射される輝尽光を検出する光検出器と、保持体と走査機構とを回転軸に垂直な方向へ相対的に移動させる相対移動機構と、を備える。【選択図】図１
2011053459.tif 000002
【特許請求の範囲】
【請求項１】
輝尽性蛍光体からなる放射線像形成面を持つ媒体から放射線像を読み取る放射線像の読み取り装置であって、
媒体を平坦に保持する保持体と、
励起光を放射する光源と、
前記保持体に保持された媒体の放射線像形成面を含む走査面に垂直で前記光源から離れた回転軸の周りに前記光源から放射された励起光の光路を回転させ、前記光源から放射された励起光が照射される照射点を前記走査面において円運動させる走査機構と、
前記回転軸上に設けられ前記照射点から放射される輝尽光を検出する光検出器と、
前記保持体を前記走査機構に対して前記回転軸に垂直な方向へ相対的に移動させる相対移動機構と、
を備える放射線像の読み取り装置。
【請求項２】
請求項１の放射線像の読み取り装置において、
前記走査機構は、
前記回転軸から離れた照射点へ励起光を導く励起光光学系と、
前記回転軸の周りに前記励起光光学系の少なくとも一部を回転させる回転機構と、
を備え、
前記励起光光学系は、
前記回転軸上に設けられ前記回転軸が延在する方向から到達した前記励起光を前記回転軸に対して傾斜した方向へ屈曲する第１の屈曲光学素子、
を備え、
前記回転機構は、
前記回転軸の周りに前記第１の屈曲光学素子を回転させる、
放射線像の読み取り装置。
【請求項３】
請求項２の放射線像の読み取り装置において、
前記励起光光学系は、
前記回転軸上に前記回転機構から分離して固定され前記回転軸に対して傾斜した方向から到達した励起光を前記回転軸が延在する方向へ屈曲して前記第１の屈曲光学素子へ導く第２の屈曲光学素子、
をさらに備える放射線像の読み取り装置。
【請求項４】
請求項２又は請求項３の放射線像の読み取り装置において、
照射点から放射された輝尽光を前記光検出器へ導く輝尽光光学系、
をさらに備える放射線像の読み取り装置。
【請求項５】
請求項４の放射線像の読み取り装置において、
励起光光学系の光路の一部と輝尽光光学系の光路の一部が共通の導光部を経由する、
放射線像の読み取り装置。
【請求項６】
請求項５の放射線像の読み取り装置において、
前記輝尽光光学系は、前記光検出器と前記走査面との間に設けられた構造体の一部であり、
前記構造体には、前記走査面と対向する面に輝尽光の入射口を有し前記光検出器と対向する面に輝尽光の出射口を有する導光部が形成され、
前記励起光光学系は、前記導光部を経由して前記光源から前記走行面まで励起光を導く、
放射線像の読み取り装置。
【請求項７】
請求項６の放射線像の読み取り装置において、
前記輝尽光光学系の光軸は、照射点を通る、
放射線像の読み取り装置。
【請求項８】
請求項５の放射線像の読み取り装置において、
前記輝尽光光学系は、前記光検出器と前記走査面との間に設けられた構造体の一部であり、
前記回転機構は、前記回転軸の周りに前記構造体を回転させる、
放射線像の読み取り装置。
【請求項９】
請求項８の放射線像の読み取り装置において、
前記構造体は、前記走査面と対向する輝尽光の入射口を有し前記光検出器と対向する輝尽光の出射口を有し輝尽光の反射面を内面に有する空洞の導光部が形成された中空体である、
放射線像の読み取り装置。
【請求項１０】
請求項８の放射線像の読み取り装置において、
前記構造体は、前記走査面と対向する輝尽光の入射口を有し前記光検出器と対向する輝尽光の出射口を有する中実体の導光部を備える、
放射線像の読み取り装置。
【請求項１１】
請求項９又は請求項１０の放射線像の読み取り装置において、
前記導光部は、楕円球状、円柱状または円錐状をなす、
放射線像の読み取り装置。
【請求項１２】
請求項９ないし請求項１１のいずれかの放射線像の読み取り装置において、
前記構造体は、前記入射口に設けられ前記導光部の内部へ輝尽光を導くレンズ、
を備える放射線像の読み取り装置。
【請求項１３】
請求項９ないし請求項１２のいずれかの放射線像の読み取り装置において、
前記入射口は、前記回転軸から離して形成され、
前記出射口は、前記回転軸上に形成される、
放射線像の読み取り装置。
【請求項１４】
請求項４の放射線像の読み取り装置において、
前記輝尽光光学系は、
前記光検出器と前記走査面との間に前記回転機構から分離して固定された構造体の一部であり、
前記構造体には、
前記走査面と対向する面に輝尽光の入射口を有し前記光検出器と対向する面に輝尽光の出射口を有する導光部が形成され、
前記導光部の表面が前記回転軸についての回転対称性を有し前記入射口から入射した輝尽光を前記出射口へ集光する凹面反射鏡である、
放射線像の読み取り装置。
【請求項１５】
請求項８ないし請求項１４のいずれかの放射線像の読み取り装置において、
前記走査面へ向かってエアを導く送風機構、
をさらに備える放射線像の読み取り装置。
【請求項１６】
請求項９ないし請求項１５のいずれかの放射線像の読み取り装置において、
前記光検出器と前記構造体との間に挿入され励起光の波長における透過率よりも輝尽光の波長における透過率が高い光学フィルタ、
をさらに備える放射線像の読み取り装置。
【請求項１７】
請求項１ないし請求項１６のいずれかの放射線像の読み取り装置において、
前記光源、前記走査機構及び前記光検出器を収容する筐体と、
前記筐体の内部のホコリを集塵する集塵機構と、
を備える放射線像の読み取り装置。
【請求項１８】
請求項１ないし請求項１７のいずれかの放射線像の読み取り装置において、
前記相対移動機構が前記走査機構に対して前記媒体を直線的に相対移動させる、
放射線像の読み取り装置。
【請求項１９】
請求項１ないし請求項１８のいずれかの放射線像の読み取り装置において、
前記走査機構が固定され、
前記相対移動機構は、
前記保持体を移動させる、
放射線像の読み取り装置。
【請求項２０】
請求項１ないし請求項１８のいずれかの放射線像の読み取り装置において、
前記保持体が固定され、
前記相対移動機構は、
前記走査機構を移動させる、
放射線像の読み取り装置。
【請求項２１】
請求項２０の放射線像の読み取り装置において、
前記相対移動機構は、
前記走査機構と一体的に前記光源を移動させる、
放射線像の読み取り装置。
【発明の詳細な説明】
【技術分野】
【０００１】
本発明は、輝尽性蛍光体からなる放射線像形成面を持つ媒体から放射線像を読み取る放射線像の読み取り装置に関する。
【背景技術】
【０００２】
イメージングプレートから放射線像を読み取る放射線像の読み取り装置は、光源から放射された励起光をイメージングプレートの放射線像形成面に照射し、励起光の照射点から放射された輝尽光を光検出器で検出する。放射線像形成面は、励起光の照射点により走査される。照射点による放射線像形成面の走査には、複数の方式がある。
【０００３】
特許文献１の放射線像の読み取り装置では、搬送機構が平面に支持されたイメージングプレートを直線運動させ、励起光光学系がイメージングプレートの直線運動の方向とは垂直な方向に照射点を直線運動させる。特許文献１の放射線像の読み取り装置では、光源から照射点までの距離が一定に保たれず放射線像形成面への励起光の入射角度が一定に保たれないので、放射線像が均一に読み取られない。
【０００４】
特許文献２の図２の放射線像の読み取り装置では、搬送機構が円筒面に支持されたイメージングプレートを軸方向に直線運動させ、回転機構が励起光光学系を軸の周りに回転させる。特許文献２の放射線像の読み取り装置には、イメージングプレートが湾曲されるので、イメージングプレートの損傷がおきやすいという問題がある。また、特許文献２の放射線像の読み取り装置では、イメージングプレートの装着に手間がかかり、多数のイメージングプレートから連続して放射線像を読み取ることが難しい。なお、励起光光学系を回転させることに代えて、円筒面を回転させる放射線像の読み取り装置も知られている。
【０００５】
特許文献３の放射線像の読み取り装置では、回転機構が平面に支持されたイメージングプレートを回転させ、搬送機構が励起光光学系を径方向に直線運動させる。特許文献３の放射線像の読み取り装置では、イメージングプレートの装着に手間がかかり、多数のイメージングプレートから連続して放射線像を読み取ることが難しい。
【０００６】
特許文献４の放射線像の読み取り装置では、搬送機構が平面に支持されたイメージングプレートを直線運動させ、励起光光学系がイメージングプレートの放射線像形成面が走行する走行面において照射点を円運動させる。
【先行技術文献】
【特許文献】
【０００７】
【特許文献１】特開昭６１−２６７４５１号公報
【特許文献２】特開平６−１６０９９８号公報
【特許文献３】特公平６−９７３２８号公報
【特許文献４】特許第２５８０１８３号公報
【発明の概要】
【発明が解決しようとする課題】
【０００８】
特許文献４の放射線像の読み取り装置によれば、上述の問題が解決されるが、輝尽光を反射して光検出器へ導くミラーに孔が形成されているため、輝尽光が照射点から光検出器へ効率よく導かれず、放射線像の読み取りの感度が不十分である。
【０００９】
本発明は、この問題を解決するためになされたもので、放射線像の読み取りの感度が向上する放射線像の読み取り装置を提供することを目的とする。
【課題を解決するための手段】
【００１０】
上記の課題を解決するための手段を以下に示す。
【００１１】
第１の発明は、輝尽性蛍光体からなる放射線像形成面を持つ媒体から放射線像を読み取る放射線像の読み取り装置であって、媒体を平坦に保持する保持体と、励起光を放射する光源と、前記保持体に保持された媒体の放射線像形成面を含む走査面に垂直で前記光源から離れた回転軸の周りに前記光源から放射された励起光の光路を回転させ、前記光源から放射された励起光が照射される照射点を前記走査面において円運動させる走査機構と、前記回転軸上に設けられ前記照射点から放射される輝尽光を検出する光検出器と、前記保持体を前記走査機構に対して前記回転軸に垂直な方向へ相対的に移動させる相対移動機構と、を備える。
【００１２】
第２の発明は、第１の発明の放射線像の読み取り装置において、前記走査機構は、前記回転軸から離れた照射点へ励起光を導く励起光光学系と、前記回転軸の周りに前記励起光光学系の少なくとも一部を回転させる回転機構と、を備え、前記励起光光学系は、前記回転軸上に設けられ前記回転軸が延在する方向から到達した前記励起光を前記回転軸に対して傾斜した方向へ屈曲する第１の屈曲光学素子、を備え、前記回転機構は、前記回転軸の周りに前記第１の屈曲光学素子を回転させる。
【００１３】
第３の発明は、第２の発明の放射線像の読み取り装置において、前記励起光光学系は、前記回転軸上に前記回転機構から分離して固定され前記回転軸に対して傾斜した方向から到達した励起光を前記回転軸が延在する方向へ屈曲して前記第１の屈曲光学素子へ導く第２の屈曲光学素子、をさらに備える。
【００１４】
第４の発明は、第２又は第３の発明の放射線像の読み取り装置において、照射点から放射された輝尽光を前記光検出器へ導く輝尽光光学系、をさらに備える。
【００１５】
第５の発明は、第４の発明の放射線像の読み取り装置において、励起光光学系の光路の一部と輝尽光光学系の光路の一部が共通の導光部を経由する。
【００１６】
第６の発明は、第５の発明の放射線像の読み取り装置において、前記輝尽光光学系は、前記光検出器と前記走査面との間に設けられた構造体の一部であり、前記構造体には、前記走査面と対向する面に輝尽光の入射口を有し前記光検出器と対向する面に輝尽光の出射口を有する導光部が形成され、前記励起光光学系は、前記導光部を経由して前記光源から前記走行面まで励起光を導く。
【００１７】
第７の発明は、第６の発明の放射線像の読み取り装置において、前記輝尽光光学系の光軸は、照射点を通る。
【００１８】
第８の発明は、第５の発明の放射線像の読み取り装置において、前記輝尽光光学系は、前記光検出器と前記走査面との間に設けられた構造体の一部であり、前記回転機構は、前記回転軸の周りに前記構造体を回転させる。
【００１９】
第９の発明は、第８の発明の放射線像の読み取り装置において、前記構造体は、前記走査面と対向する輝尽光の入射口を有し前記光検出器と対向する輝尽光の出射口を有し輝尽光の反射面を内面に有する空洞の導光部が形成された中空体である。
【００２０】
第１０の発明は、第８の発明の放射線像の読み取り装置において、前記構造体は、前記走査面と対向する輝尽光の入射口を有し前記光検出器と対向する輝尽光の出射口を有する中実体の導光部を備える。
【００２１】
第１１の発明は、第９又は第１０の発明の放射線像の読み取り装置において、前記導光部は、楕円球状、円柱状または円錐状をなす。
【００２２】
第１２の発明は、第９ないし第１１のいずれかの発明の放射線像の読み取り装置において、前記構造体は、前記入射口に設けられ前記導光部の内部へ輝尽光を導くレンズ、を備える。
【００２３】
第１３の発明は、第９ないし第１２のいずれかの発明の放射線像の読み取り装置において、前記入射口は、前記回転軸から離して形成され、前記出射口は、前記回転軸上に形成される。
【００２４】
第１４の発明は、第４の発明の放射線像の読み取り装置において、前記輝尽光光学系は、前記光検出器と前記走査面との間に前記回転機構から分離して固定された構造体の一部であり、前記構造体には、前記走査面と対向する面に輝尽光の入射口を有し前記光検出器と対向する面に輝尽光の出射口を有する導光部が形成され、前記導光部の表面が前記回転軸についての回転対称性を有し前記入射口から入射した輝尽光を前記出射口へ集光する凹面反射鏡である。
【００２５】
第１５の発明は、第８ないし第１４のいずれかの発明の放射線像の読み取り装置において、前記走査面へ向かってエアを導く送風機構、をさらに備える。
【００２６】
第１６の発明は、第９ないし第１５のいずれかの発明の放射線像の読み取り装置において、前記光検出器と前記構造体との間に挿入され励起光の波長における透過率よりも輝尽光の波長における透過率が高い光学フィルタ、をさらに備える。
【００２７】
第１７の発明は、第１ないし第１６のいずれかの発明の放射線像の読み取り装置において、前記光源、前記走査機構及び前記光検出器を収容する筐体と、前記筐体の内部のホコリを集塵する集塵機構と、を備える。
【００２８】
第１８の発明は、第１ないし第１７のいずれかの発明の放射線像の読み取り装置において、前記相対移動機構が前記走査機構に対して前記媒体を直線的に相対移動させる。
【００２９】
第１９の発明は、第１ないし第１８のいずれかの発明の放射線像の読み取り装置において、前記走査機構が固定され、前記相対移動機構は、前記保持体を移動させる。
【００３０】
第２０の発明は、第１ないし第１８のいずれかの発明の放射線像の読み取り装置において、前記保持体が固定され、前記相対移動機構は、前記走査機構を移動させる。
【００３１】
第２１の発明は、第２０の発明の放射線像の読み取り装置において、前記相対移動機構は、前記走査機構と一体的に前記光源を移動させる。
【発明の効果】
【００３２】
本発明によれば、放射線像形成面への励起光の入射角度が一定に保たれるので、放射線像が均一に読み取られる。また、媒体が湾曲されないので、媒体の損傷が抑制される。さらに、光検出器への輝尽光の入射が妨げられないので、放射線像の読み取りの感度が向上する。加えて、光源が回転軸から離れるので光源への給電が容易になる。
【００３３】
請求項２の発明によれば、光源を回転させる必要がないので、光源への給電が容易になる。
【００３４】
請求項３の発明によれば、光源を回転軸から離すことが容易になるので、放射線像の読み取り装置の構造の自由度が増す。
【００３５】
請求項４の発明によれば、照射点から放射された輝尽光が効率よく光検出器へ導かれるので、放射線像の読み取りの感度が向上する。
【００３６】
請求項５の発明によれば、励起光光学系と輝尽光光学系の少なくとも一部とが同期して回転するので、照射点から放射された輝尽光が効率よく光検出器へ導かれ、放射線像の読み取りの感度が向上する。
【００３７】
請求項６の発明によれば、励起光の光路及び輝尽光の光路が導光体の内部に共存するので、放射線像の読み取り装置が小型になる。
【００３８】
請求項７の発明によれば、照射点から放射された輝尽光が効率よく光検出器へ導かれるので、放射線像の読み取りの感度が向上する。
【００３９】
請求項８の発明によれば、構造体は回転させることが容易な構造にすることができるので、輝尽光光学系を回転させることが容易になる。
【００４０】
請求項９ないし請求項１２の発明によれば、入射口から出射口に輝尽光が効率よく導かれるので、放射線像の読み取りの感度が向上する。
【００４１】
請求項１３の発明によれば、回転軸上に形成された出射口に輝尽光が導かれるので、光検出器を回転軸上に設けることが容易になり、輝尽光光学系が簡略化される。
【００４２】
請求項１４の発明によれば、構造体が固定されるので、放射線像の読み取り装置が簡略化される。
【００４３】
請求項１５の発明によれば、保持体に媒体が押し付けられるので、媒体の位置ずれが抑制される。
【００４４】
請求項１６の発明によれば、励起光が光検出器に与える影響が減少するので、放射線像の読み取りの感度が向上する。
【００４５】
請求項１７の発明によれば、筐体の内部のホコリが減少するので、媒体へのホコリの付着が抑制され、放射線像の読み取りの精度が向上する。
【００４６】
請求項１８の発明によれば、搬送機構が簡略化される。
【００４７】
請求項１９の発明によれば、多数の媒体を連続して読み取ることが容易になる。また、光源から照射点までの長さが一定に保たれるので、放射線像が均一に読み取られる。
【００４８】
請求項２０の発明によれば、多数の媒体を読み取る場合でもフットプリントが極端に広くならない。
【００４９】
請求項２１の発明によれば、光源から照射点までの長さが一定に保たれるので、放射線像が均一に読み取られる。
【図面の簡単な説明】
【００５０】
【図１】第１実施形態の読み取り装置の断面図である。
【図２】第１実施形態の読み取り装置の内部機構の斜視図である。
【図３】走査面における照射点の軌跡及び放射線像形成面を示す上面図である。
【図４】第２実施形態の回転構造体の断面図である。
【図５】第３実施形態の回転構造体の断面図である。
【図６】第３実施形態の回転構造体の断面図である。
【図７】第４実施形態の回転構造体の断面図である。
【図８】第５実施形態の回転構造体の断面図である。
【図９】第６実施形態の回転機構及び回転構造体の断面図である。
【図１０】第６実施形態の回転機構及び回転構造体の断面図である。
【図１１】第７実施形態の回転機構及び回転構造体の断面図である。
【図１２】第８実施形態の読み取り機構の断面図である。
【図１３】第８実施形態の固定構造体の下面図である。
【図１４】第９実施形態の搬送機構の断面図である。
【図１５】第９実施形態の搬送機構の下面図である。
【図１６】第１０実施形態の搬送機構の断面図である。
【図１７】第１１実施形態のイメージングプレートの配列を示す上面図である。
【図１８】第１２実施形態の読み取り装置の断面図である。
【図１９】第１２実施形態の読み取り装置の斜視図である。
【図２０】第１３実施形態の読み取り装置の断面図である。
【発明を実施するための形態】
【００５１】
（１  第１実施形態）
第１実施形態は、イメージングプレートＩＰの放射線像形成面Ｓから放射線像を読み取る放射線像の読み取り装置１００２に関する。
【００５２】
（イメージングプレートＩＰ）
イメージングプレートＩＰは、輝尽性蛍光体からなる放射線像形成面Ｓを持つ媒体である。放射線像形成面Ｓには、Ｘ線等の放射線が照射されると、放射線像が潜像として描画される。読み取り装置１００２は、放射線像形成面Ｓから放射線像を読み取り、放射線像の画像データを生成する。
【００５３】
（読み取り装置１００２の概略）
図１は、読み取り装置１００２の模式図である。図１は、読み取り装置１００２の断面図である。図２は、読み取り装置１００２の内部機構１００４の模式図である。図２は、内部機構１００４の斜視図である。
【００５４】
図１及び図２に示すように、読み取り装置１００２は、放射線像形成面Ｓから放射線像を読み取る読み取り機構１００７と、イメージングプレートＩＰを保持するベルト１０８０と、ベルト１０８０を周回させるベルト駆動機構１０８２と、読み取り装置１００２を制御するコントローラ１０３０と、ホコリを集塵する集塵機構１０３２と、消去光を放射する消去光光源１０２４と、構成物を支持するフレーム１０２６と、これらを収容する筐体１０２８とを備える。
【００５５】
筐体１０２８に形成された入口１０９４に挿入され読み取り装置１００２の内部へ搬入されたイメージングプレートＩＰは、ベルト１００８の往路部分に保持される。ベルト１００８の往路部分に保持されたイメージングプレートＩＰは、方向Ａへ搬送され、読み取り機構１００７の下方を通過する。読み取り機構１００７は、下方を通過するイメージングプレートＩＰの放射線像形成面Ｓに描画された放射線像を読み取る。
【００５６】
（読み取り機構１００７の概略）
読み取り機構１００７は、励起光ＥＬを放射する励起光光源１００８と、輝尽光ＰＬを検出する光検出器１０１０と、光検出器１０１０への励起光ＥＬの入射を抑制する光学フィルタ１０１２と、水平方向から到達した励起光ＥＬを回転軸ＲＡが延在する方向へ反射して導光する固定ミラー１０１４と、回転軸ＲＡが延在する方向から到達した励起光ＥＬを回転軸ＲＡに対して傾斜した方向へ反射して導光する回転ミラー１０１６と、照射点Ｐから放射された輝尽光ＰＬを光検出器１０１０へ導く回転構造体１０１８と、回転構造体１０１８を支持する軸受け１０２０と、回転構造体１０１８を回転軸ＲＡの周りに回転させる回転機構１０２２と、を備える。
【００５７】
励起光光源１００８は励起光ＥＬを固定ミラー１０１４に照射するので、励起光光源１００８から離れた場所に回転軸ＲＡが位置する。
【００５８】
固定ミラー１０１４、回転ミラー１０１６による励起光ＥＬの導光は光の屈曲、具体的には反射によって行われる。
【００５９】
本出願では反射、屈折、反射と屈折の双方などで光の進行方向を変えることを屈曲で表現する。
【００６０】
（回転軸ＲＡと走査面ＳＰとの関係）
回転軸ＲＡは、ベルト１００８に保持されるイメージングプレートＩＰの放射線像形成面Ｓを含む走査面ＳＰと垂直をなす。イメージングプレートＩＰは、回転軸ＲＡと垂直な方向へ搬送され、放射線像形成面Ｓは、走査面ＳＰを移動する。
【００６１】
（照射点Ｐの軌跡ＴＲと放射線像形成面Ｓの移動との関係）
図３は、走査面ＳＰにおける照射点Ｐの軌跡ＴＲ及び放射線像形成面Ｓを示す上面図である。
【００６２】
図１、そして特に図３に示すように、読み取り機構１００７は、励起光光源１００８から放射された励起光ＥＬが照射される照射点Ｐを走査面ＳＰにおいて円運動させる。読み取り装置１００２は、照射点Ｐの軌跡ＴＲの一部を占める円弧Ａ１，Ａ２の位置を放射線像形成面Ｓに順次通過させる。これにより、円弧Ａ１，Ａ２上を移動する照射点Ｐで放射線像形成面Ｓが繰り返し走査される。読み取り機構１００７は、放射線像形成面Ｓを走査する照射点Ｐから放射される輝尽光ＰＬを検出する。
【００６３】
（走査機構１０３６）
読み取り機構１００７の一部であって照射点Ｐを円運動させる走査機構１０３６は、固定ミラー１０１４及び回転ミラー１０１６を備え回転軸ＲＡから離れた照射点Ｐへ励起光ＥＬを導く励起光光学系１０３４と、励起光光学系１０３４の一部を構成する回転ミラー１０１６を回転構造体１０１８とともに回転軸ＲＡの周りに回転させる回転機構１０２２と、を備える。走査機構１０３６により、励起光光源１００８から照射点Ｐまでの光路の長さが一定に保たれ放射線像形成面Ｓへの励起光ＥＬの入射角度が一定に保たれるので、放射線像が均一に読み取られる。
【００６４】
（励起光光学系１０３４）
励起光光学系１０３４は、固定ミラー１０１４及び回転ミラー１０１６以外の光学素子を備えていてもよい。例えば、励起光光学系１０３４が、励起光ＥＬをさらに屈曲して導光するミラー、励起光ＥＬを集光ないし収束するレンズ等を備えていてもよい。励起光ＥＬを屈曲して導光する屈曲光学素子として、プリズム等を用いてもよい。
【００６５】
プリズムを用いた場合は、励起光ＥＬの導光が反射、屈折などで行われる。
【００６６】
図１に示す例では、励起光ＥＬのイメージングプレートＩＰまでの導光を行う励起光光学系１０３４が光を屈曲させる導光部からなっている。
【００６７】
本出願では光を屈曲させて導光する光学素子を屈曲光学素子の用語で表現する。
【００６８】
固定ミラー１０１４及び回転ミラー１０１６は屈曲光学素子の一例である。
【００６９】
屈曲光学素子は光を屈曲させる導光部を構成する要素の一例である。
【００７０】
本出願で採用する光を屈曲させる導光部の構成要素としては、屈曲光学素子、反射光学系、屈折光学系、反射屈折光学系、反射鏡などが考えられ、いずれを用いてもよい。
【００７１】
例えば、励起光光源１００８から照射した励起光ＥＬを回転軸ＲＡが延在する方向へ導光するのに、固定ミラー１０１４を用いる代わりに図示しない湾曲ないし屈曲した中空導波路や石英ファイバなどの光ファイバを配置して用いてもよく、回転軸ＲＡが延在する方向から到達した励起光ＥＬを回転軸ＲＡに対して傾斜した方向へ導光するのに、回転ミラー１０１６を用いる代わりに図示しない湾曲ないし屈曲した中空導波路や石英ファイバなどの光ファイバを配置して用いてもよい。
【００７２】
以下の記述において、光の屈曲に反射の用語を使う場合が多いが、反射に限定しなくとも、適宜光の屈曲ができる要素を用いることができる。
【００７３】
（回転ミラー１０１６）
回転ミラー１０１６は、回転軸ＲＡが延在する方向から到達した励起光ＥＬを回転軸ＲＡに対して傾斜した方向へ屈曲する。固定ミラー１０１４により屈曲された励起光ＥＬは、回転軸ＲＡから離れた照射点Ｐへ導かれる。
【００７４】
回転ミラー１０１６は、回転軸ＲＡ上に設けられる。回転ミラー１０１６は、回転構造体１０１８の内部において回転構造体１０１８に固定される。回転ミラー１０１６により、回転ミラー１０１６に到達するまで励起光ＥＬの光路を回転させる必要がないので、励起光光源１００８を動かす必要がなくなり、図示のように励起光光源１００８を回転機構１０２２、回転構造体１０１８から分離してフレーム１０２６に固定配置することができ、励起光光源１００８への給電が容易になる。
【００７５】
回転構造体１０１８と一体化された回転ミラー１０１６は、回転構造体１０１８と同期して回転軸ＲＡの周りに回転するので、回転ミラー１０１６から走査面ＳＰへ至る励起光ＥＬの光路は回転軸ＲＡの周りに回転し、照射点Ｐは走査面ＳＰにおいて円運動する。回転構造体１０１８と回転ミラー１０１６とを同期して回転させることで、後述する導光部１０４６において輝尽光ＰＬを取得する位置を一定にすることができ、これにより、照射点Ｐから放射された輝尽光ＰＬが効率よく光検出器１０１０へ導かれ、放射線像の読み取りの感度が向上する。
【００７６】
回転ミラー１０１６の反射面の水平方向からの傾きは、回転軸ＲＡと照射点Ｐとの距離、すなわち、照射点Ｐの軌跡ＴＲの直径２ｒ（図３参照）を左右する。回転ミラー１０１６の反射面は、少なくとも放射線像形成面Ｓの幅ｗ（図３参照）よりも軌跡ＴＲの直径２ｒが大きくなるように水平方向から傾けられる。これにより、放射線像形成面Ｓの全面が照射点Ｐで走査される。「放射線像形成面Ｓの幅ｗ」とは、イメージングプレートＩＰの搬送方向に垂直な方向の放射線像形成面Ｓの寸法である。
【００７７】
回転ミラー１０１６は、回転軸ＲＡ上にあるので、回転軸ＲＡの周りに回転しても移動しない。また、回転ミラー１０１６の反射面は、回転軸ＲＡを通って到来した励起光ＥＬを反射すればよい。このため、回転ミラー１０１８の反射面は、励起光ＥＬのビーム断面よりも少し大きければ十分である。
【００７８】
（固定ミラー１０１４）
固定ミラー１０１４は、水平方向から到達した励起光ＥＬを回転軸ＲＡが延在する方向へ屈曲し、回転ミラー１０１６へ導く。固定ミラー１０１４へ到達する励起光ＥＬの方向は、水平方向である必要はなく、回転軸ＲＡが延在する方向から傾斜した方向であればよい。固定ミラー１０１４により、励起光光源１００８が回転軸ＲＡから離されるので、励起光光源１００８への給電が容易になり、読み取り装置１００２の構造の自由度が増す。
【００７９】
固定ミラー１０１４は、回転軸ＲＡ上に設けられる。固定ミラー１０１４は、回転構造体１０１８の外部において回転機構１０２２から分離してフレーム１０２６に固定される。固定ミラー１０１４を回転構造体１０１８の外部に設けることにより、回転構造体１０１８に妨げられることなく固定ミラー１０１４へ励起光ＥＬが導かれる。
【００８０】
固定ミラー１０１４は、回転構造体１０１８の下面１０４２と走査面ＳＰとの間に設けられる。これにより、光検出器１０１０と固定ミラー１０１４とが回転構造体１０１８で隔てられ、励起光ＥＬの迷光が光検出器１０１０に入射することが抑制される。また、イメージングプレートＩＰにより励起光ＥＬが遮蔽されない。
【００８１】
固定ミラー１０１４の反射面の水平方向からの傾きは、励起光ＥＬが到来する方向に左右される。固定ミラー１０１４の反射面は、到来した励起光ＥＬを回転軸ＲＡが延在する方向へ屈曲するように図示の例では水平方向から傾けられる。
【００８２】
（励起光光源１００８）
励起光光源１００８が放射する励起光ＥＬの波長は、具体的にはイメージングプレートＩＰが効果的に励起される光の波長がどのようなものかで決まる。例えば市場に広く出回っているイメージングプレートＩＰに対しては波長５００〜８００ｎｍの光が使用できることが多く、この波長帯の光を発する光源であれば励起光光源１００８として使用可能である。
【００８３】
励起光光源１００８は、レーザ光源であることが望ましい。これにより、励起光ＥＬのビームが細くなり、照射点Ｐが小さくなるので、放射線像の読み取りの精度が向上する。また、励起光光源１００８は、半導体レーザ光源であることが望ましい。これにより、読み取り装置１００２が小型化される。
【００８４】
読み取り装置１００２では、励起光光源１００８を回転する必要はないので、励起光光源１００８は、回転機構１０２２から分離され、フレーム１０２６に固定される。これにより、励起光光源１００８への給電が容易になる。また、励起光光源１００８は、固定ミラー１０１４があるため、回転軸ＲＡから離される。これにより、励起光光源１００８への給電が容易になる。
【００８５】
（光検出器１０１０）
光検出器１０１０は、照射点Ｐから放射され回転構造体１０１８を経由して到達した輝尽光ＰＬを検出する。光検出器１０１０は、検出した輝尽光ＰＬの強度に応じた信号を発生する。
【００８６】
光検出器１０１０は、フォトマルチプライヤー、フォトダイオード等であることが望ましい。
【００８７】
輝尽光ＰＬは、波長３５０〜４５０ｎｍの光であることが多く、この波長帯の光を検出するものが光検出器１０１０として好適に用いられるが、イメージングプレートＩＰが発する輝尽光の波長によって適宜選択すればよい。
【００８８】
読み取り装置１００２では、光検出器１０１０を回転する必要はないので、光検出器１０１０は、回転機構１０２２から分離されフレーム１０２６に固定される。これにより、光検出器１０１０への給電及び光検出器１０１０からの信号の取得が容易になる。光検出器１０１０は、光学フィルタ１０１２を挟んで回転構造体１０１８の出射口１０５０と対向する。
【００８９】
光検出器１０１０は、回転軸ＲＡ上に設けられる。これは、励起光光源１００８を回転軸ＲＡから離すとともに回転構造体１０１８によって光検出器１０１０から隔てたことにより可能になった。これにより、励起光ＥＬを照射点Ｐへ導く励起光光学系１０３４が光検出器１０１０への輝尽光ＰＬの入射を妨げないので、放射線像の読み取りの感度が向上する。
【００９０】
（光学フィルタ１０１２）
光学フィルタ１０１２は、励起光ＥＬの波長における透過率よりも輝尽光ＰＬの波長における透過率が高い。これにより、励起光ＥＬが光検出器１０１０に与える影響が減少するので、放射線像の読み取りの感度が向上する。
【００９１】
光学フィルタ１０１２の透過率の波長依存性は、使用する輝尽性蛍光体の種類によって決まる。ユウロピウムを付活剤として含むバリウムフッ化ハライドを輝尽性蛍光体として使用し、赤色の励起光ＥＬを照射し、近紫外の輝尽光ＰＬを検出する場合、例えば、青色フィルタが光学フィルタ１０１２として使用される。
【００９２】
光学フィルタ１０１２は、板形状を有する。
【００９３】
光学フィルタ１０１２は、光検出器１０１０と回転構造体１０１８の出射口１０５０との間に挿入される。光学フィルタ１０１２は、フレーム１０２６に固定される。光学フィルタ１０１２を回転構造体１０１８の上面１０４４に貼りつけ、回転構造体１０１８の出射口１０５０を光学フィルタ１０１２で覆ってもよい。光学フィルタ１０１２を光検出器１０１０の下面に貼り付け、光検出器１０１０の受光部を光学フィルタ１０１２で覆ってもよい。
【００９４】
（輝尽光光学系１０４０）
走査面ＳＰ上の照射点Ｐから放射された輝尽光ＰＬを光検出器１０１０へ導く輝尽光光学系１０４０は、回転構造体１０１８の一部である。回転構造体１０１８は回転させることが容易な構造にすることができるので、輝尽系光学系１０４０を回転構造体１０１８の一部とすることにより、輝尽光光学系１０４０を回転させることが容易になる。
【００９５】
（回転構造体１０１８）
回転構造体１０１８の外径形状は、略円柱形状である。回転構造体１０１８の円柱軸は回転軸ＲＡと同じ位置にある。
【００９６】
回転構造体１０１８は、光検出器１０１０と走査面ＳＰとの間に設けられる。回転構造体１０１８の下面１０４２は、走査面ＳＰと対向し、走査面ＳＰと平行になっている。回転構造体１０１８の上面１０４４は、光検出器１０１０と対向する。
【００９７】
（導光部１０４６）
回転構造体１０１８は、照射点Ｐから光検出器１０１０へ輝尽光ＰＬを導く空洞の導光部１０４６が内部に形成された中空体である。導光部１０４６は、回転構造体１０１８の走査面ＳＰと対向する下面１０４２に同じく走査面ＳＰと対向する輝尽光ＰＬの入射口１０４８を有し、回転構造体１０１８の光検出器１０１０と対向する上面１０４４に同じく光検出器１０１０と対向する輝尽光ＰＬの出射口１０５０を有する。導光部１０４６の表面（第１実施形態の回転構造体１０１８では、空洞の内面を意味する）１０５２は楕円球面をなす。すなわち、導光部１０４６は楕円球状である。導光部１０４６の表面１０５２は、輝尽光ＰＬを効率よく反射するため、鏡面加工される。導光部１０４６の表面１０５２に輝尽光ＰＬを反射する反射膜を形成してもよい。鏡面加工、反射膜の形成のいずれにしても、表面１０５２は反射面となる。入射口１０４８から入射した輝尽光ＰＬは、導光部１０４６の表面１０５２に反射され、出射口１０５０を経由して光検出器１０１０へ導かれる。導光部１０４６により、入射口１０４８から出射口１０５０へ輝尽光ＰＬが効率よく導かれるので、放射線像の読み取りの感度が向上する。
【００９８】
輝尽光光学系１０４０となる導光部１０４６の光軸は、照射点Ｐを通ることが望ましい。これにより、照射点Ｐから放射された輝尽光ＰＬが効率よく光検出器１０１０へ導かれるので、放射線像の読み取りの感度が向上する。導光部１０４６の表面１０５２が楕円球面をなす場合、導光部１０４６の光軸は当該楕円球面を有する楕円球の長軸に一致する。したがって、導光部１０４６の表面１０５２は、光軸についての回転対称性を有する。
【００９９】
入射口１０４８は回転軸ＲＡから離され、出射口１０５０は回転軸ＲＡ上に形成される。これにより、光検出器１０１０が回転軸ＲＡ上に回転機構１０２２、回転構造体１０１８から分離して配置されるので、光検出器１０１０への給電や光検出器１０１０からの信号の取得が容易になる。また、輝尽光光学系１０４０が簡略化される。
【０１００】
（導光部１０５４）
回転構造体１０１８には、固定ミラー１０１４から回転ミラー１０１６へ励起光ＥＬを導く空洞の導光部１０５４も形成される。導光部１０５４は、回転構造体１０１８の下面１０４２に励起光ＥＬの入射口１０５６を有し、導光部１０４６の表面１０５２に導光部１０４６に合流する合流口１０５８を有する。導光部１０５４は、回転軸ＲＡ上にある。導光部１０５４は、回転軸ＲＡの方向に延在する。回転ミラー１０１６は、合流口１０５８に設けられる。入射口１０５６から入射した励起光ＥＬは、導光部１０５４を通って回転ミラー１０１６に到達した後、回転ミラー１０１６に反射され、導光部１０４６を通って入射口１０４８を経由して走査面ＳＰへ導かれる。これにより、励起光光学系１０３４は、導光部１０４６を経由して励起光光源１００８から走査面ＳＰまで励起光ＥＬを導く。つまり、励起光光学系１０３４の光路の一部と輝尽光光学系１０４０の光路の一部が共通の導光部１０５４を経由している。このことは、励起光ＥＬの光路及び輝尽光ＰＬの光路を回転構造体１０１８の内部に共存させ、読み取り装置１００２を小型化することに寄与する。
【０１０１】
導光部１０５４は、空洞でもよいが、中実体で形成してもよく、アクリル樹脂等の樹脂や、ガラス等、透過効率のよいものを適宜用いてよい。導光部１０５４は単一の材料からなる中実体で構成してもよいし、複数の光ファイバを集めて形成した光ファイバなど、複数の材料からなる中実体で構成してもよい。
【０１０２】
（回転構造体１０１８のその他の事項）
回転構造体１０１８の側面１０６０には、回転機構１０２２のベルト１０６８が架けられるベルト溝１０６２が形成される。ベルト溝１０６２の幅はベルト１０６８の幅よりも少し広い。ベルト溝１０６２は、回転構造体１０１８の周方向に延在する。回転構造体１０１８の側面１０６０にベルト溝１０６２を形成することに代えて、回転構造体１０１８の側面１０６０にプーリを取り付けてもよい。
【０１０３】
また、回転構造体１０１８の側面１０６０には、軸受け１０２０の内輪１０７６が固定される軸受け溝１０７８が形成される。
【０１０４】
回転構造体１０１８の材質は、特に制限されないが、成型が容易な樹脂であることが望ましい。
【０１０５】
（回転機構１０２２）
回転機構１０２２は、回転の駆動力を発生するモータ１０６４と、回転比を調整するプーリ１０６６と、モータ１０６４の駆動力を回転構造体１０１８へ伝達するベルト１０６８と、を備える。モータ１０６４のハウジング１０７０は、フレーム１０２６に固定される。プーリ１０６６は、モータ１０６４のシャフト１０７２に固定される。ベルト１０６８は、プーリ１０６６及びベルト溝１０６２に架けられる。
【０１０６】
（軸受け１０２０）
軸受け１０２０は、回転構造体１０１８を回転軸ＲＡの周りに回転することができる状態で支持する。軸受け１０２０の外輪１０７４は、フレーム１０２６に固定され、軸受け１０２０の内輪１０７６は、回転構造体１０１８の軸受け溝１０７８に固定される。
【０１０７】
図１には、軸受け１０２０が転がり軸受けである場合が示されているが、すべり軸受け、流体軸受け等で回転構造体１０１８を支持してもよい。
【０１０８】
（搬送機構１００６）
搬送機構１００６は、イメージングプレートＩＰを平坦に保持するベルト１０８０と、ベルト１０８０を周回させるベルト駆動機構１０８２と、を備える。
【０１０９】
ベルト１０８０は、イメージングプレートＩＰよりも幅が広い柔軟な無端物である。
【０１１０】
ベルト駆動機構１０８２は、ローラ１０８４，１０８６，１０８８，１０９０を備える。ベルト駆動機構１０８２の一端にあるローラ１０８４は、照射点Ｐの軌跡ＴＲよりも搬送方向上流側にあり、ベルト駆動機構１０８２の他端にあるローラ１０９０は、照射点Ｐの軌跡ＴＲよりも搬送方向下流側にある。ローラ１０８４とローラ１０９０との間にあるローラの数を増減してもよい。
【０１１１】
ローラ１０８４，１０８６，１０８８，１０９０の各々は、走査面ＳＰに平行で搬送方向に垂直な方向に延在する回転軸の周りに回転自在である。ローラ１０８４又はローラ１０９０には、回転の駆動力が与えられる。
【０１１２】
ベルト１０８０は、ローラ１０８４，１０８６，１０８８，１０９０に架けられ、周回運動させられる。ローラ１０８４からローラ１０９０へ向かって走行し回転構造体１０１８の下面１０４２と対向するベルト１０８０の往路部分の上面は、放射線像形成面Ｓを上方に向けたイメージングプレートＩＰが載置される保持面１０９２となる。
【０１１３】
保持面１０９２は、イメージングプレートＩＰを搬送する搬送機構１００６の構成要素であるベルト１０８０の一部であると共に、イメージングプレートＩＰを保持する保持体でもある。
【０１１４】
ベルト１０８０の往路部分は、イメージングプレートＩＰを平坦に保持し、固定された読み取り機構１００７に対してベルト駆動機構１０８２により直線的に相対移動させられる。これにより、保持面１０９２は走査機構１０３６に対し、回転軸ＲＡに垂直な方向へ移動し、保持面１０９２上に載置されたイメージングプレートＩＰは、固定された走査機構１０３６に対し、回転軸ＲＡに垂直な方向へ直線搬送される。イメージングプレートＩＰは走査機構１０３６に対して直線的に相対移動される。イメージングプレートＩＰを平坦に保持することにより、イメージングプレートＩＰが湾曲しないので、イメージングプレートＩＰの損傷が抑制される。また、イメージングプレートＩＰを直線搬送することにより、搬送機構１００６が簡略化される。
【０１１５】
搬送機構１００６は、保持面１０９２からなる保持体を走査機構１０３６に対して回転軸ＲＡに垂直な方向へ相対的に移動させる相対移動機構の一例である。
【０１１６】
相対移動機構においては、保持体が走査機構に対して移動しても、走査機構が保持体に対して移動しても、保持体と走査機構の双方が移動してもよく、いずれにしても保持体を走査機構に対して相対的に移動している。
【０１１７】
（集塵機構１０３２）
集塵機構１０３２は、筐体１０２８の内部のホコリを集塵する。これにより、筐体１０２８の内部のホコリが減少するので、イメージングプレートＩＰへのホコリの付着が抑制され、放射線像の読み取りの精度が向上する。
【０１１８】
集塵機構１０３２は、例えば、集塵フィルタが取り付けられた排気ファンを筐体１０２８の排気口に装着することにより実現される。
【０１１９】
（消去光光源１０２４）
消去光光源１０２４は、放射線像が読み取られた後のイメージングプレートＩＰに放射線像を消去する消去光を照射する。
【０１２０】
消去光光源１０２４は、照射点Ｐの軌跡ＴＲよりも搬送方向下流側であって、走査面ＳＰの上方に設けられる。消去光光源１０２４は、走査面ＳＰに向かって消去光を照射する。これにより、放射線像の読み取りから放射線像の消去までが読み取り装置１００２の内部で完結する。
【０１２１】
（コントローラ１０３０）
コントローラ１０３０は、励起光光源１００８及び消去光光源１０２４に電力を給電し、励起光光源１００８及び消去光光源１０２４の点灯を制御する。
【０１２２】
また、コントローラ１０３０は、搬送機構１００６に電力を給電し、搬送機構１００６によるイメージングプレートＩＰの搬送を制御する。
【０１２３】
さらに、コントローラ１０３０は、光検出器１０１０に電力を給電し、光検出器１０１０を制御するとともに、光検出器１０１０から発生した信号を取得し、画像データを生成する。画像データの生成を筐体１０２８の外部の装置において行ってもよい。
【０１２４】
（２  第２実施形態）
第２実施形態は、第１実施形態の回転構造体１０１８に代えて採用される回転構造体２０１８に関する。
【０１２５】
図４は、第２実施形態の回転構造体２０１８の模式図である。図４は、回転構造体２０１８の断面図である。
【０１２６】
回転構造体２０１８の外径形状は、第１実施形態の回転構造体１０１８と同様に、略円柱形状である。回転構造体２０１８の円柱軸は回転軸ＲＡと一致する。
【０１２７】
回転構造体２０１８は、光検出器１０１０と走査面ＳＰとの間に設けられる。回転構造体２０１８の下面２０４２は、走査面ＳＰと対向し、走査面ＳＰと平行になっている。回転構造体２０１８の上面２０４４は、光検出器１０１０と対向する。
【０１２８】
（導光部２０４６）
回転構造体２０１８は、第１実施形態の空洞の導光部１０４６に代えて、透光体の導光部２０４６が透光体収容部形成体２１００の内部に設けられた中実体からなる。導光部２０４６は、回転構造体２０１８の下面２０４２に走査面ＳＰと対向する輝尽光ＰＬの入射口２０４８を有し、回転構造体２０１８の上面２０４４に光検出器１０１０と対向する輝尽光ＰＬの出射口２０５０を有する。
【０１２９】
導光部２０４６の表面（第２実施形態の回転構造体２０１８では、透光体の外面を意味する）２０５２は楕円球面をなす。すなわち、導光部２０４６は楕円球状である。導光部２０４６の屈折率は、導光部２０４６の表面２０５２、すなわち、導光部２０４６とその外側との界面が導光部２０４６の内部から見て輝尽光ＰＬの全反射面となるように決定される。導光部２０４６の表面２０５２に輝尽光ＰＬを反射する反射膜を形成してもよい。入射口２０４８から入射した輝尽光ＰＬは、導光部２０４６の表面２０５２に反射され、出射口２０５０を経由して光検出器１０１０へ導かれる。導光部２０４６により、入射口２０４８から出射口２０５０へ輝尽光ＰＬが効率よく導かれるので、放射線像の読み取りの感度が向上する。
【０１３０】
導光部２０４６の光軸は、照射点Ｐを通ることが望ましい。これにより、照射点Ｐから放射された輝尽光ＰＬが効率よく光検出器１０１０へ導かれるので、放射線像の読み取りの感度が向上する。導光部２０４６の表面２０５２が楕円球面をなす場合、導光部２０４６の光軸は当該楕円球面を有する楕円球の長軸に一致する。したがって、導光部２０４６の表面２０５２は、光軸についての回転対称性を有する。
【０１３１】
入射口２０４８は回転軸ＲＡから離され、出射口２０５０は回転軸ＲＡ上に形成される。これにより、光検出器１０１０が回転軸ＲＡ上に回転機構１０２２、回転構造体１０１８から分離して配置されるので、光検出器１０１０への給電や光検出器１０１０からの信号の取得が容易になる。また、輝尽光光学系２０４０が簡略化される。
【０１３２】
（導光部２０５４）
回転構造体２０１８には、固定ミラー１０１４から回転ミラー１０１６へ励起光ＥＬを導く透光体の導光部２０５４も形成される。導光部２０５４は、回転構造体２０１８の下面２０４２に励起光ＥＬの入射口２０５６を有し、導光部２０４６の表面２０５２に導光部２０４６に合流する合流口２０５８を有する。導光部２０５４は、回転軸ＲＡの方向に延在する。導光部２０５４は、回転軸ＲＡ上にある。回転ミラー１０１６は、合流口２０５８に設けられる。入射口２０５６から入射した励起光ＥＬは、導光部２０５４を通って回転ミラー１０１６に到達した後、回転ミラー１０１６に反射され、導光部２０４６を通って入射口２０４８を経由して走査面ＳＰへ導かれる。
【０１３３】
導光部２０５４と導光部２０４６を、全て一体の、透光体の中実体で形成してもよいが、その一部を一体の、透光体の中実体で形成してもよい。
【０１３４】
（回転構造体２０１８のその他の事項）
回転構造体２０１８の側面２０６０には、第１実施形態のベルト溝１０６２及び軸受け溝１０７８と同様のベルト溝２０６２及び軸受け溝２０７８が形成される。
【０１３５】
支持が難しくなるが、導光部２０４６，２０５４で埋められる透光体収容部形成体２１００を省略した回転構造体も採用しうる。
【０１３６】
回転構造体２０１８の材質は、制限されないが、成型が容易な樹脂であることが望ましい。特に、導光部２０４６の材質は、アクリル樹脂等であることが望ましいが、ガラス等、透過効率のよいものを適宜用いてよい。導光部２０４６は単一の材料からなる中実体で構成してもよいし、複数の光ファイバを集めて形成した光ファイバなど、複数の材料からなる中実体で構成してもよい。
【０１３７】
導光部２０５４を空洞で形成しても中実体で形成してもよい点については第１実施形態の導光部１０５４と同様である。
【０１３８】
（３  第３実施形態）
第３実施形態は、第１実施形態の回転構造体１０１８に代えて採用される回転構造体３０１８に関する。
【０１３９】
図５は、第３実施形態の回転構造体３０１８の模式図である。図５は、回転構造体３０１８の断面図である。
【０１４０】
回転構造体３０１８の外径形状は、略円柱形状である。回転構造体３０１８の円柱軸は回転軸ＲＡと同じ位置にある。
【０１４１】
回転構造体３０１８は、光検出器１０１０と走査面ＳＰとの間に設けられる。回転構造体３０１８の下面３０４２は、走査面ＳＰと対向し、走査面ＳＰと平行になっている。回転構造体３０１８の上面３０４４は、光検出器１０１０と対向する。
【０１４２】
図５に示すように、回転構造体３０１８は、空洞形成体３１００と、導光部３０４６の内部へ輝尽光ＰＬを導くレンズ３２００とを備える。
【０１４３】
（導光部３０４６）
空洞形成体３１００は、照射点Ｐから光検出器１０１０へ輝尽光ＰＬを導く空洞の導光部３０４６が形成された中空体である。第２実施形態の回転構造体２０１８のように、空洞の導光部３０４６に代えて透光体かつ中実体の導光部を形成してもよい。中実体の導光部とする場合、材質は、アクリル樹脂等であることが望ましいが、ガラス等、透過効率のよいものを適宜用いてよい。単一の材料からなる中実体で構成してもよいし、複数の光ファイバを集めて形成した光ファイバなど、複数の材料からなる中実体で構成してもよい。
セルフォックレンズを用いることもできる。中実体の導光部とする場合、レンズ３２００は省略できる。
【０１４４】
導光部３０５４を空洞で形成しても中実体で形成してもよい点については第１実施形態の導光部１０５４と同様である。
【０１４５】
導光部３０５４と導光部３０４６を、全て一体の、透光体の中実体で形成してもよいが、その一部を一体の、透光体の中実体で形成してもよい。
【０１４６】
導光部３０４６は、回転構造体３０１８の下面３０４２に走査面ＳＰと対向する輝尽光ＰＬの入射口３０４８を有し、回転構造体３０１８の上面３０４４に光検出器１０１０と対向する輝尽光ＰＬの出射口３０５０を有する。導光部３０４６の表面（第３実施形態の回転構造体３０１８では、空洞の内面を意味する）３０５２は円柱の形状をなす。すなわち、導光部３０４６は円柱状である。また、この場合の円柱は、厳密には円柱の頂部と底部を斜めに切除したような形状である。
【０１４７】
導光部３０４６の表面３０５２が第１実施形態の回転構造体１０１８のように楕円球面をなしてもよい。入射口３０４８から入射した輝尽光ＰＬは、レンズ３２００により集光され、出射口３０５０を経由して光検出器１０１０へ導かれる。導光部３０４６により、入射口３０４８から出射口３０５０へ輝尽光ＰＬが効率よく導かれるので、放射線像の読み取りの感度が向上する。
【０１４８】
入射口３０４８は回転軸ＲＡから離され、出射口３０５０は回転軸ＲＡ上に形成される。これにより、光検出器１０１０が回転軸ＲＡ上に回転機構１０２２、回転構造体１０１８から分離して配置されるので、光検出器１０１０への給電や光検出器１０１０からの信号の取得が容易になる。また、輝尽光光学系３０４０が簡略化される。
【０１４９】
（導光部３０５４）
回転構造体３０１８には、固定ミラー１０１４から回転ミラー１０１６へ励起光ＥＬを導く空洞の導光部３０５４も形成される。導光部３０５４は、回転構造体３０１８の下面３０４２に励起光ＥＬの入射口３０５６を有し、導光部３０４６の内面３０５２に導光部３０４６に合流する合流口３０５８を有する。導光部３０５４は、回転軸ＲＡの方向に延在する。導光部３０５４は、回転軸ＲＡ上にある。回転ミラー１０１６は、合流口３０５８に設けられる。入射口３０５６から入射した励起光ＥＬは、導光部３０５４を通って回転ミラー１０１６に到達した後、回転ミラー１０１６に反射され、導光部３０４６を通って入射口３０４８を経由して走査面ＳＰへ導かれる。
【０１５０】
図５に示す例では、導光部３０４６の表面は３０５２は略円柱の円柱面、厳密にはその内側の円柱内面であり、合流口３０５８近傍で回転ミラー１０１６が配置され、励起光ＥＬの経路が加わるために、特に断面形状が大きなものとなっているが、入射口３０４８から出射口３０５０の間で、長手軸が直線で、断面形状が均一な、好適には真円の円形である円柱の円柱内面をなすようにしてもよい。この場合、穿孔による加工が簡易な構成となる。
【０１５１】
さらに、円柱の一部に楕円球面の部分を付加した形状としてもよく、適宜導光効率のよい形状が選択できる。
【０１５２】
導光部３０４６の長手軸は直線でもよいが、光の進行を妨げない程度に曲折していてもよい。
【０１５３】
輝尽光光学系３０４０を構成するレンズ３２００は、回転構造体３０１８の入射口３０４８に固定される。レンズ３２００の光軸は、照射点Ｐを通る。これにより、照射点Ｐから放射された輝尽光ＰＬが効率よく光検出器１０１０へ導かれるので、放射線像の読み取りの感度が向上する。
【０１５４】
（回転構造体３０１８のその他の事項）
回転構造体３０１８の側面３０６０には、第１実施形態のベルト溝１０６２及び軸受け溝１０７８と同様のベルト溝３０６２及び軸受け溝３０７８が形成される。
【０１５５】
図６は、図５に示した第３実施形態の回転構造体３０１８の変形例である回転構造体３０１８ａの模式図である。図６は、回転構造体３０１８ａの断面図である。
【０１５６】
回転構造体３０１８ａの基本的構造は回転構造体３０１８と同様であるので、特徴的部分を述べる。
【０１５７】
図５の回転構造体３０１８においては、導光部３０５４と導光部３０４６が合流口３０５８で合流し、導光部３０５４を通過して回転ミラー１０１６で反射された励起光ＥＬが導光部３０４６を通って走査面ＳＰへ導かれるようになっているが、図６の回転構造体３０１８ａにおいては、回転ミラー１０１６で反射された励起光ＥＬを走査面ＳＰに向けて通過させる、励起光ＥＬ通過用導光部３０５４ａがさらに備えられ、図５の回転構造体３０１８の導光部３０４６に代えて図１に示す照射点Ｐから光検出器１０１０へ輝尽光ＰＬを導く、輝尽光ＰＬ通過用導光部３０４６ａが備えられる点が特徴である。
【０１５８】
導光部３０４６ａの表面３０５２ａは、輝尽光ＰＬを効率よく反射するため、鏡面加工される。
【０１５９】
導光部３０４６ａは空洞であるが、第２実施形態の回転構造体２０１８のように、空洞の導光部３０４６ａに代えて透光体かつ中実体の導光部を形成してもよい。これは、図５の回転構造体３０１８の導光部３０４６と同様である。
【０１６０】
空洞の導光部３０４６ａの一部に中実体の導光部を埋設するようにしてもよい。
【０１６１】
励起光ＥＬは、固定ミラー１０１４で反射されて導光部３０５４を通過し、回転ミラー１０１６で反射されて導光部３０５４ａを通過し、走査面ＳＰへ導かれる。
【０１６２】
照射点Ｐからの輝尽光ＰＬは、入射口３０４８ａを経て導光部３０４６ａを通過し、出射口３０５０ａを経て光検出器１０１０へ導かれる。
【０１６３】
導光部３０４６ａの表面（第３実施形態の回転構造体３０１８ａでは、空洞の内面を意味する）３０５２ａは長手軸が直線で、断面形状が均一な、好適には真円の円形である円柱の円柱面、厳密にはその内側の円柱内面をなす。すなわち、導光部３０４６ａは円柱状である。また、この場合の円柱は、厳密には円柱の頂部と底部を斜めに切除したような形状である。
【０１６４】
空洞の導光部３０４６ａに代えて中実体の導光部を形成する場合、回転構造体３０１８ａの下面と入射口３０４８ａが必ずしも同一の面を形成するようにしなくともよく、回転構造体３０１８ａの上面と出射口３０５０ａが必ずしも同一の面を形成するようにしなくともよい。例えば、頂部と底部を斜めに切除しない真の円柱の形状の中実体を空洞の導光部３０４６ａに代えて、あるいは空洞の導光部３０４６ａの一部に埋設するように用いることで、加工をさらに簡易にすることもできる。
【０１６５】
導光部３０５４ａと導光部３０４６ａを、全て一体の、透光体の中実体で形成してもよいが、その一部を一体の、透光体の中実体で形成してもよい。
【０１６６】
導光部３０５４ａの表面（空洞の内面）３０５４ｂも、長手軸が直線で、断面形状が均一な、好適には真円の円形である円柱の円柱面、厳密にはその内側の円柱内面をなす。
【０１６７】
導光部３０４６ａ、導光部３０５４ａの長手軸は直線でもよいが、光の進行を妨げない程度に曲折していてもよい。
【０１６８】
導光部３０４６ａと導光部３０５４ａとは回転構造体３０１８ａ内部で図示のように途中で合流してもよいが、合流せずにそれぞれ独立の経路を有してもよい。
【０１６９】
導光部３０４６ａの内部で、輝尽光ＰＬが入射口３０４８ａを通過した後に輝尽光ＰＬを集光するレンズは略されるが、円柱内面３０５２ａがなす円柱の断面が光検出器１０１０の検出面とほぼ同等から２倍程度の面積に設定されており、効率的に導光できる。
【０１７０】
導光部３０４６ａの表面３０５２ａを、入射口３０４８ａにおける断面形状が出射口３０５０ａにおける断面形状よりも広い円錐形状この場合、導光部３０４６ａは円錐状である。この場合の円錐は、厳密には円錐の頂部と底部を斜めに切除したような形状である。
【０１７１】
（４  第４実施形態）
第４実施形態は、第１実施形態の回転構造体１０１８に代えて採用される回転構造体４０１８に関する。
【０１７２】
図７は、第４実施形態の回転構造体４０１８の模式図である。図７は、回転構造体４０１８の断面図である。
【０１７３】
図７に示すように、回転構造体４０１８は、第１実施形態の回転構造体１０１８と類似の構造を有する。ただし、回転構造体４０１８には、走査面ＳＰへ向かってエアを導く送風機構としてエア流通孔４２００が形成される。エア流通孔４２００は、回転構造体４０１８の下面４０４２に吹き出し口４２０４を有し、回転構造体４０１８の上面４０４４に吸い込み口４２０２を有する。吸い込み口４２０２よりも吹き出し口４２０４の方が回転軸ＲＡから離れている。これにより、回転構造体４０１８が回転すると、吸い込み口４２０２からエアが吸い込まれ、エア流通孔４２００を通ってエアが吹き出し口４２０４から吹き出される。その結果、保持面１０９２にイメージングプレートＩＰが押し付けられるので、イメージングプレートＩＰの位置ずれが抑制される。
【０１７４】
なお、第２実施形態の回転構造体２０１８又は第３実施形態の回転構造体３０１８にエア流通孔４２００と同様のエア流通孔を形成してもよい。
【０１７５】
（５  第５実施形態）
第５実施形態は、第１実施形態の回転構造体１０１８に代えて採用される回転構造体５０１８に関する。
【０１７６】
図８は、第５実施形態の回転構造体５０１８の模式図である。図８は、回転構造体５０１８の断面図である。
【０１７７】
図８に示すように、回転構造体５０１８は、第１実施形態の回転構造体１０１８と類似の構造を有する。ただし、回転構造体５０１８には、走査面ＳＰへ向かってエアを導く送風機構としてファン羽根５２００が形成される。これにより、回転構造体５０１８が回転すると、ファン羽根５２００によりエアが走査面ＳＰへ向かって送られ、保持面１０９２にイメージングプレートＩＰが押し付けられるので、イメージングプレートＩＰの位置ずれが抑制される。
【０１７８】
なお、第２実施形態の回転構造体２０１８、第３実施形態の回転構造体３０１８、第４実施形態の回転構造体４０１８にファン羽根５２００と同様のファン羽根を形成してもよく、ファン羽根を形成した第２実施形態の回転構造体２０１８、ファン羽根を形成した第３実施形態の回転構造体３０１８のいずれにおいても、さらに第４実施形態のエア流通孔４２００と同様のエア流通孔を形成してもよい。
【０１７９】
（６  第６実施形態）
第６実施形態は、第１実施形態の回転構造体１０１８及び回転機構１０２２に代えて採用される回転構造体６０１８及び回転機構６０２２、回転構造体６０１８ａ及び回転機構６０２２ａに関する。
【０１８０】
図９は、第６実施形態の回転機構６０２２及び回転構造体６０１８の模式図である。図９は、回転機構６０２２及び回転構造体６０１８の断面図である。
【０１８１】
図９に示すように、回転構造体６０１８は、第１実施形態の回転構造体１０１８と類似の構造を有する。ただし、回転構造体６０１８には、ベルト溝１０６２に代えて、回転機構６０２２の中空ロータ６３０２が固定されるロータ溝６０６２が形成される。ロータ溝６０６２の幅は中空ロータ６３０２よりも少し広い。ロータ溝６０６２は回転構造体６０１８の周方向に延在する。
【０１８２】
回転機構６０２２は、モータ６３００を備える。モータ６３００は、中空ロータ６３０２とステータ６３０４とを備える。
【０１８３】
中空ロータ６３０２は、回転軸ＲＡに垂直な断面における回転構造体６０１８の断面形状と略同一の形状の軸孔が形成された環形状を有する。中空ロータ６３０２の軸孔には回転構造体６０１８が挿入され、中空ロータ６３０２は回転構造体６０１８のロータ溝６０６２に固定される。中空ロータ６３０２は、永久磁石６３０２ｍを備え、界磁磁束を発生する。
【０１８４】
ステータ６３０４は、フレーム６０２６に固定される。ステータ６３０４は、回転磁界を発生する巻線６３０４ｃを備える。
【０１８５】
ステータ６３０４の回転磁界を発生する回転磁界発生面と、中空ロータ６３０２の界磁磁束を発生する界磁磁束発生面とは、間隙を挟んで対向させられる。
【０１８６】
ステータ６３０４に固定された軸受け６３００ｂが中空ロータ６３０２を回転可能に軸支している。
【０１８７】
第１実施形態の回転機構１０２２では、モータ１０６４が回転構造体１０１８に直結されていないので、モータ１０６４の駆動力を回転構造体１０１８へ伝達するベルト１０６８等の駆動力伝達機構が必要である。これに対して、第６実施形態の回転機構６０２２では、モータ６３００が回転構造体６０１８に直結されているので、モータ６３００の駆動力を回転構造体６０１８へ伝達する駆動力伝達機構は省略される。
【０１８８】
中空ロータ６３０２が界磁磁束を発生しステータ６３０４が回転磁界を発生する回転界磁型のモータ６３００ではなく、ステータ６３０４が界磁磁束を発生し中空ロータ６３０２が回転磁界を発生する回転電機子型のモータを採用してもよい。ただし、回転界磁型のモータ６３００には、回転構造体６０１８に固定された中空ロータ６３０２に給電する必要がないので、読み取り装置１００２が簡略化されるという利点がある。
【０１８９】
図１０は、第６実施形態の回転機構６０２２ａ及び回転構造体６０１８ａの模式図である。図１０は、回転機構６０２２ａ及び回転構造体６０１８ａの断面図である。
【０１９０】
基本的構造は図９の回転機構６０２２及び回転構造体６０１８と同様であるので、特徴的な部分を述べる。
【０１９１】
図１０に示すように、回転構造体６０１８ａは、図９の回転構造体６０１８と類似の構造を有する。ただし、回転構造体６０１８ａには、ロータ６５００が固定され、ロータ６５００が回転すると回転構造体６０１８ａも回転するようになっている。
【０１９２】
回転機構６０２２ａは、モータ６３００ａを備える。モータ６３００ａは、中空ロータ６３０２ａとステータ６３０４ａとを備える。
【０１９３】
中空ロータ６３０２ａの軸孔にはロータ６５００が挿入されて固定されている。中空ロータ６３０２ａは永久磁石６３０２ｂを備え、界磁磁束を発生する。
【０１９４】
ステータ６３０４ａは、フレーム６０２６ａに固定される。ステータ６３０４ａは、回転磁界を発生する巻線６３０４ｂを備える。
【０１９５】
ステータ６３０４ａの回転磁界を発生する回転磁界発生面と、中空ロータ６３０２ａの界磁磁束を発生する界磁磁束発生面とは、間隙を挟んで対向させられ、ステータ６３０４ａに固定された軸受け６３００ｃが中空ロータ６３０２ａを回転可能に軸支している。
【０１９６】
モータ６３００ａの駆動でロータ６５００、回転構造体６０１８ａが一体的に回転される。
【０１９７】
中空ロータ６３０２ａに永久磁石６３０２ｂが、ステータ６３０４ａに巻線６３０４ｂが備えられたモータ６３００ａの代わりに、中空ロータ６３０２ａに巻線が、ステータ６３０４ａに永久磁石が備えられたモータを用いてもよい。
【０１９８】
フレーム６０２６ａの上部には、回転構造体６０１８ａの頂部に面する面に間隙を介して光検出器６０１０ａを支持する光検出器支持フレーム６０２６ｂが固定され、光検出器６０１０ａは光検出器支持フレーム６０２６ｂに固定されて光学フィルタ６０１２ａを挟んで回転構造体６０１８ａの頂部中央部分と対面し、輝尽光ＰＬを受光する。
【０１９９】
フレーム６０２６ａには第１実施例の軸受け１０２０に相当する軸受け６０２０ａが固定され、回転構造体６０１８ａの側面を支持することで回転構造体６０１８ａを回転可能に軸支しているが、軸受け６３００ｃが中空ロータ６３０２ａを回転可能に軸支しているので、省略することもできる。
【０２００】
図１０の実施形態ではロータ６５００の外径を回転構造体６０１８ａの外径よりも小さくでき、そのために中空ロータ６３０２ａの内径を小さくでき、図９の実施形態に比べてより高い回転数でモータ６３００ａの駆動をすることが可能である。
【０２０１】
（７  第７実施形態）
第７実施形態は、第１実施形態の回転構造体１０１８及び回転機構１０２２に代えて採用される回転構造体７０１８及び回転機構７０２２に関する。
【０２０２】
図１１は、第７実施形態の回転構造体７０１８及び回転機構７０２２の模式図である。図１１は、回転構造体７０１８及び回転機構０２２の断面図である。
【０２０３】
図１１に示すように、回転構造体７０１８は、第１実施形態の回転構造体１０１８と類似の構造を有する。ただし、回転構造体７０１８には、ベルト溝１０６２に代えて、ギア溝７０６２が形成されている。ギア溝７０６２は、回転機構７０２２のギア７４０２よりも幅が若干広く回転構造体７０１８の周方向に延在する。
【０２０４】
回転機構７０２２は、回転の駆動力を発生するモータ７０６４と、回転比を調整しモータ７０６４の駆動力を回転構造体７０１８へ伝達するギア７４００，７４０２と、を備える。
【０２０５】
モータ７０６４のハウジング７０７０は、フレーム７０２６に固定される。ギア７４００は、モータ７０６４のシャフト７０７２に固定される。ギア７４０２は、回転軸ＲＡに垂直な断面における回転構造体７０１８の断面形状と略同一の形状の軸孔が形成された環形状を有する。ギア７４０２の軸孔には、回転構造体７０１８が挿入され、ギア７４０２は、回転構造体７０１８のギア溝７０６２に固定される。ギア７４００とギア７４０２とは、かみ合わされる。回転構造体７０１８の側面７０６０が磨耗しにくい場合は、回転構造体７０１８の側面７０６０にギア７４０２を取り付けることに代えて、回転構造体７０１８の側面７０６０の一部をギア形状としてもよい。ギア７４００に代えてローラをモータ７０６４のシャフト７０７２に固定し、ローラ面を回転構造体７０１８の側面７０６０に当接してもよい。
【０２０６】
（８  第８実施形態）
第８実施形態は、第１実施形態の読み取り機構１００７に代えて採用される読み取り機構８００７に関する。
【０２０７】
図１２は、第８実施形態の読み取り機構８００７の模式図である。図１２は、読み取り機構８００７の断面図である。
【０２０８】
図１２に示すように、読み取り機構８００７は、励起光ＥＬを放射する励起光光源８００８と、輝尽光ＰＬを検出する光検出器８０１０と、光検出器８０１０への励起光ＥＬの入射を抑制する光学フィルタ８０１２と、水平方向から到達した励起光ＥＬを回転軸ＲＡが延在する方向へ屈曲する固定ミラー８０１４と、回転軸ＲＡが延在する方向から到達した励起光ＥＬを回転軸ＲＡに対して傾斜した方向へ屈曲する回転ミラー８０１６と、照射点Ｐから放射された輝尽光ＰＬを光検出器８０１０へ導く固定構造体８０１８と、回転ミラー８０１６を回転軸ＲＡの周りに回転させる回転機構８０２２と、を備える。
【０２０９】
（走査機構８０３６）
読み取り機構８００７の一部であって照射点Ｐを円運動させる走査機構８０３６は、固定ミラー８０１４及び回転ミラー８０１６を備え回転軸ＲＡから離れた照射点Ｐへ励起光ＥＬを導く励起光光学系８０３４と、励起光光学系８０３４の一部を構成する回転ミラー８０１６を回転軸ＲＡの周りに回転させる回転機構８０２２と、を備える。走査機構８０３６により、励起光光源８００８から照射点Ｐまでの距離が一定に保たれ放射線像形成面Ｓへの励起光ＥＬの入射角度が一定に保たれるので、放射線像が均一に読み取られる。
【０２１０】
（励起光光学系８０３４）
励起光光学系８０３４は、固定ミラー８０１４及び回転ミラー８０１６以外の光学素子を備えていてもよい。例えば、励起光光学系８０３４が、励起光ＥＬをさらに屈曲するミラー、励起光ＥＬを収束するレンズ等を備えていてもよい。励起光ＥＬを屈曲する屈曲光学素子としてミラーに代えてプリズム等を用いてもよい。
【０２１１】
（回転ミラー８０１６）
回転ミラー８０１６は、回転軸ＲＡが延在する方向から到達した励起光ＥＬを回転軸ＲＡに対して傾斜した方向へ屈曲する。回転ミラー８０１６により屈曲された励起光ＥＬは、回転軸ＲＡから離れた照射点Ｐへ導かれる。
【０２１２】
回転ミラー８０１６は、回転軸ＲＡ上に設けられる。回転ミラー８０１６は、固定構造体８０１８の内部において回転機構８０２２の回転管体８５００の上端に固定される。回転ミラー８０１６により、回転ミラー８０１６に到達するまで励起光ＥＬの光路を回転させる必要がなくなるので、励起光光源８００８を動かす必要がなくなり、励起光光源８００８への給電が容易になる。
【０２１３】
回転管体８５００に固定された回転ミラー８０１６は、回転軸ＲＡの周りに回転するので、回転ミラー８０１６から走査面ＳＰへ至る励起光ＥＬの光路は回転軸ＲＡの周りに回転し、照射点Ｐは走査面ＳＰにおいて円運動する。
【０２１４】
回転ミラー８０１６の反射面は、第１実施形態の回転ミラー１０１６と同様に水平方向から傾けられる。
【０２１５】
（固定ミラー８０１４）
固定ミラー８０１４は、水平方向から到達した励起光ＥＬを回転軸ＲＡが延在する方向へ屈曲し、回転ミラー８０１６へ導く。固定ミラー８０１４へ到達する励起光ＥＬの方向は水平方向である必要はなく、回転軸ＲＡが延在する方向から傾いた方向であればよい。固定ミラー８０１４により、励起光光源８００８が回転軸ＲＡから離されるので、励起光光源８００８への給電が容易になり、読み取り機構８００７の構造の自由度が増す。
【０２１６】
固定ミラー８０１４は、回転軸ＲＡ上に設けられる。固定ミラー８０１４は、固定構造体８０１８の外部において回転機構８０２２から分離してフレーム８０２６に固定される。これにより、固定構造体８０１８に妨げられることなく固定ミラー８０１４へ励起光ＥＬが導かれる。
【０２１７】
固定ミラー８０１４が固定される位置は、固定構造体８０１８の下面８０４２と走査面ＳＰとの間であることが望ましい。これにより、光検出器８０１０と固定ミラー８０１４とが固定構造体８０１８で隔てられ、励起光ＥＬの迷光が光検出器８０１０に入射することが抑制される。また、イメージングプレートＩＰにより励起光ＥＬが遮蔽されることがなくなる。
【０２１８】
固定ミラー８０１４の反射面は、第１実施形態の固定ミラー１０１４と同様に水平方向から傾けられる。
【０２１９】
（励起光光源８００８、光検出器８０１０及び光学フィルタ８０１２）
励起光光源８００８、光検出器８０１０及び光学フィルタ８０１２としては、第１実施形態の励起光光源１００８、光検出器１０１０及び光学フィルタ１０１２と同様のものが採用される。
【０２２０】
（輝尽光光学系８０４０）
走査面ＳＰ上の照射点Ｐから放射された輝尽光ＰＬを光検出器８０１０へ導く輝尽光光学系８０４０は、固定構造体８０１８の一部である。
【０２２１】
（固定構造体８０１８）
固定構造体８０１８の外径形状は、略円柱形状である。固定構造体８０１８の円柱軸は回転軸ＲＡと同じ位置にある。
【０２２２】
固定構造体８０１８は、光検出器８０１０と走査面ＳＰとの間に設けられる。回転構造体８０１８の下面８０４２は、走査面ＳＰと対向し、走査面ＳＰと平行になっている。回転構造体８０１８の上面８０４４は、光検出器８０１０と対向する。固定構造体８０１８は、回転機構８０２２から分離されフレーム８０２６に固定される。
【０２２３】
固定構造体８０１８は、照射点Ｐから光検出器８０１０へ輝尽光ＰＬを導く空洞の導光部８０４６が形成された中空体である。導光部８０４６は、固定構造体８０１８の走査面ＳＰと対向する下面８０４２に輝尽光ＰＬの入射口８０４８を有し、固定構造体８０１８の光検出器８０１０と対向する上面８０４４に輝尽光ＰＬの出射口８０５０を有する。導光部８０４６は、固定構造体８０１８の上面８０４４から下面８０４２へ向かって回転軸ＲＡから表面（第８実施形態の固定構造体８０１８では空洞の内面を意味する）８０５２までの距離が長くなるつりがね形状を有する。導光部８０４６の表面８０５２は、回転軸ＲＡについての回転対称性を有する。これにより、固定構造体８０１８を回転させなくても、円運動する照射点Ｐから放射された輝尽光ＰＬが光検出器８０１０へ導かれる。導光部８０４６の表面８０５２は、入射口８０４８から入射した輝尽光ＰＬを出射口８０５０へ集光する凹面反射鏡となっている。
【０２２４】
図１３は、固定構造体８０１８の下面図である。
【０２２５】
図１３に示すように、固定構造体８０１８の下面８０４２には、二ヶ所で途切れた不完全円環状の入射口８０４８が形成される。二ヶ所の途切れは、放射線像形成面Ｓ上を走査するときの励起光ＥＬの光路を遮蔽しない場所に設けられる。
【０２２６】
（回転機構８０２２）
回転機構８０２２は、回転の駆動力を発生するモータ８５０８と、回転比を調整しモータ８５０８の駆動力を回転管体８５００へ伝達するギア８５０２，８５０４と、回転管体８５００を支持する軸受け８５０６と、回転ミラー８０１６を支持する回転管体８５００と、を備える。
【０２２７】
モータ８５０８のハウジング８５１０は、フレーム８０２６に固定される。ギア８５０２は、モータ８５０８のシャフト８５１２に固定される。ギア８５０４には、回転軸ＲＡに垂直な断面における回転管体８５００の断面形状と略同一の形状の軸孔が形成される。ギア８５０４の軸孔には、回転管体８５００が挿入され、ギア８５０４と回転管体８５００とは結合される。ギア８５０２とギア８５０４とはかみ合わされる。
【０２２８】
軸受け８５０６は、回転管体８５００を回転軸ＲＡの周りに回転することができる状態で支持する。軸受け８５０６の外輪８５１６は、固定構造体８０１８の導光部８０４６の内底面に固定され、軸受け８５０６の内輪８５１４は、回転管体８５００に固定される。
【０２２９】
図１２には、軸受け８５０６が転がり軸受けである場合が示されているが、すべり軸受け又は流体軸受けで回転管体８５００を支持してもよい。
【０２３０】
回転機構８０２２により回転管体８５００は回転軸ＲＡの周りに回転させられる。
【０２３１】
回転管体８５００は、回転軸ＲＡの方向に延在する。回転管体８５００は、回転軸ＲＡ上にある。
【０２３２】
（励起光ＥＬの光路）
励起光光源８００８から放射された励起光ＥＬは、固定ミラー８０１４に反射され、回転管体８５００の下端に入射する。回転管体８５００の下端に入射した励起光ＥＬは、回転管体８５００の上端から出射し、回転ミラー８０１６に反射され、走査面ＳＰへ導かれる。
【０２３３】
（送風機構８５３０及び防塵フィルタ８５３２）
第８実施形態の読み取り機構８００７を採用する場合、望ましくは、エア流を生成する送風機構８５３０と、エア流からホコリを除去する防塵フィルタ８５３２とが設けられる。送風機構８５３０により生成されたエア流は、防塵フィルタ８５３２を経由して導光部８０４６に流入し、導かれて、最終的に入射口８０４８から走査面ＳＰへ向かって吹き出される。これにより、保持面１０９２にイメージングプレートＩＰが押し付けられるので、イメージングプレートＩＰの位置ずれが抑制される。
【０２３４】
（９  第９実施形態）
第９実施形態は、第１実施形態の搬送機構１００６に代えて採用される搬送機構９００６に関する。
【０２３５】
図１４及び図１５は、第９実施形態の搬送機構９００６の模式図である。図１４は、搬送機構９００６の断面図、図１５は、搬送機構９００６の上面図である。
【０２３６】
図１４及び図１５に示すように、搬送機構９００６は、イメージングプレートＩＰを平坦に保持するステージ（保持部）９６０２と、ステージ９６０２を往復させるステージ駆動機構９６０３と、を備える。ステージ駆動機構９６０３は、ステージ９６０２を搬送方向へ案内するガイドロッド９６０４と、ステージ９６０２を搬送方向へ送るボールネジ９６０６と、ボールネジ９６０６を回転させるモータ９６０８と、これらを支持するフレーム９６１０と、を備える。
【０２３７】
ステージ９６０２は、イメージングプレートＩＰよりも大きく平坦な保持面９６１２を有する。
【０２３８】
ステージ９６０２には、搬送方向に垂直な断面におけるガイドロッド９６０４の断面形状よりわずかに径大の孔形状を有するガイドロッド孔９６１４が形成される。ガイドロッド穴９６１４には、ガイドロッド９６０４が挿入される。ステージ９６０２は、ガイドロッド９６０４に対して摺動する。これにより、ステージ９６０２は、搬送方向に案内される。
【０２３９】
ステージ９６０２には、ボールネジ９６０６のネジ形状に対応するネジ孔９６１６が形成される。ネジ孔９６１６には、ボールネジ９６０６が螺合される。
【０２４０】
ガイドロッド９６０４及びボールネジ９６０６は、搬送方向に延在する。ガイドロッド９６０４の両端は、フレーム９６１０に固定される。ボールネジ９６０６の一端は、フレーム９６１０に回転可能な状態で支持され、ボールネジ９６０６の他端は、モータ９６０８のロータに結合される。モータ９６０８のハウジングは、フレーム９６１０に固定される。
【０２４１】
モータ９６０８がボールネジ９６０６を回転させると、ステージ９６０２は、固定された走査機構１０３６に対して直線的に相対移動する。これにより、イメージングプレートＩＰは、回転軸ＲＡに垂直な方向へ搬送される。
【０２４２】
搬送機構９００６は、保持面９６１２からなる保持体を走査機構に対して回転軸ＲＡに垂直な方向へ相対的に移動させる相対移動機構の一例である。
【０２４３】
（１０  第１０実施形態）
第１０実施形態は、第１実施形態の搬送機構１００６に代えて採用される搬送機構１０００６に関する。
【０２４４】
図１６は、第１０実施形態の搬送機構１０００６の模式図である。図１６は、搬送機構１０００６の断面図である。
【０２４５】
図１６に示すように、搬送機構１０００６は、イメージングプレートＩＰを平坦に保持するステージ（保持部）１０６０２と、ステージ１０６０２を往復させるステージ駆動機構１０６０３と、を備える。ステージ駆動機構１０６０３は、ステージ１０６０２を搬送方向へ案内するガイドロッド１０６０４と、ステージ１０６０２を搬送方向へ送るラック１０７００及びピニオン１０７０２と、ピニオン１０７０２を回転させるモータ１０７０４と、これらを支持するフレーム１０６１０と、を備える。
【０２４６】
ステージ１０６０２は、イメージングプレートＩＰよりも大きく平坦な保持面１０６１２を有する。
【０２４７】
ガイドロッド１０６０４及びラック１０７００は、搬送方向に延在する。ガイドロッド１０６０４及びラック１０７００の両端は、フレーム１０６１０に固定される。ピニオン１０７０２は、モータ１０７０４のシャフトに結合される。モータ１０７０４のハウジングは、ステージ１０６０２の下面に固定される。ラック１０７００及びピニオン１０７０２は、かみあわされる。モータ１０７０４がピニオン１０７０２を回転させると、ステージ１０６０２は、固定された走査機構１０３６に対して直線的に相対移動する。これにより、イメージングプレートＩＰは、回転軸ＲＡと垂直な方向へ直線搬送される。
【０２４８】
ラック１０７００を省略し、ピニオン１０７０２に代えてローラ面がフレーム１０６１０の底部上面等に当接するローラをモータ１０７０４のシャフトに結合しても、同様にステージ１０６０２が固定された走査機構１０３６に対して相対移動し、イメージングプレートＩＰが回転軸ＲＡに垂直な搬送方向へ直線搬送される。
【０２４９】
ステージ駆動機構１０６０３は、ステージ１０６０２からなる保持体を走査機構に対して回転軸ＲＡに垂直な方向へ相対的に移動させる相対移動機構の一例である。
【０２５０】
（１１  第１１実施形態）
第１１実施形態は、第１実施形態のイメージングプレートＩＰの配列に代えて採用されるイメージングプレートＩＰ１〜ＩＰ４の搬送に関する。
【０２５１】
図１７は、第１１実施形態のイメージングプレートＩＰ１〜ＩＰ４の配列を示す模式図である。図１７は、搬送の際のイメージングプレートＩＰ１〜ＩＰ４の配列を示す上面図である。
【０２５２】
図１７に示すように、ベルト１０８０の保持面１０９２には、パノラマ撮影用の大型のイメージングプレートＩＰ１が載置されるとともに、３個の口内撮影用の小型のイメージングプレートＩＰ２〜ＩＰ３が搬送方向に垂直な方向に配列して載置される。このように、異なる大きさのイメージングプレートＩＰ１〜ＩＰ４を混載すること、複数のイメージングプレートＩＰ１〜ＩＰ４を搬送方向及び搬送方向に垂直な方向に配列することも許容される。
【０２５３】
なお、搬送方向に垂直な方向に複数のイメージングプレートＩＰ２〜ＩＰ３を配列する場合は、配列された複数のイメージングプレートＩＰ２〜ＩＰ３の全部の放射線像形成面の全体が走査されるように軌跡ＴＲの直径が決められる。
【０２５４】
（１２  第１２実施形態）
第１２実施形態は、イメージングプレートＩＰの放射線像形成面Ｓから放射線像を読み取る放射線像の読み取り装置１２００２に関する。第１実施形態の読み取り装置１００２と第１２実施形態の放射線像の読み取り装置１２００２との主な違いは、第１実施形態の読み取り装置１００２は、固定された読み取り機構１００７に対して保持体（ベルト１０８０）を相対移動させるのに対して、第１２実施形態の読み取り装置１２００２は、固定された保持体（トレイ１２０８０）に対して読み取り機構１２００７を相対移動させる点にある。以下では、この違いに特に着目して、第１２実施形態の読み取り装置１２００２について説明する。
【０２５５】
図１８及び図１９は、読み取り装置の模式図である。図１８は、読み取り装置の断面図、図１９は、読み取り装置の斜視図である。
【０２５６】
図１８及び図１９に示すように、読み取り装置１２００２は、放射線像形成面Ｓから放射線像を読み取る読み取り機構１２００７と、イメージングプレートＩＰを保持するトレイ１２０８０と、消去光を放射する消去光光源１２０２４と、読み取り機構１２００７及び消去光光源１２０２４を収容するフレーム１２０２６と、読み取り機構１２００７及び消去光光源１２０２４をフレーム１２０２６ごと往復させるフレーム駆動機構１２８０２と、トレイ１２０８０を往復させるトレイ駆動機構１２８０４と、これらを収容する筐体１２０２８を備える。
【０２５７】
トレイ１２０８０及びトレイ駆動機構１２８０４を備える搬入搬出機構１２８０６により読み取り装置１２００２の内部へ搬入されたイメージングプレートＩＰは、トレイ１２０８０に平坦に保持される。トレイ１２０８０はイメージングプレートＩＰを保持する保持体である。読み取り機構１２００７は、方向ＢまたはＢＡへ搬送され、トレイ１２０８０に保持されたイメージングプレートＩＰの上方を通過し、放射線像形成面Ｓに描画された放射線像を読み取る。
【０２５８】
読み取り機構１２００７は、第１実施形態の読み取り機構１００７において移動しないフレーム１０２６に固定されていた構成物に相当する構成物が移動するフレーム１２０２６に固定されることを除いては、第１実施形態の読み取り機構１００７と同様の機構であり、照射点Ｐを円運動させる走査機構を含む。
【０２５９】
フレーム駆動機構１２８０２は、フレーム１２０２６を支持する支持片１２８０８，１２８１０，１２８１２，１２８１４と、支持片１２８０８，１２８１０を駆動方向へ案内するガイドロッド１２８１６と、支持片１２８１２，１２８１４を駆動方向へ送るボールネジ１２８１８と、ボールネジ１２８１８を回転させるモータ１２８２０と、を備える。
【０２６０】
支持片１２８０８，１２８１０には、駆動方向に垂直な断面におけるガイドロッド１２８１６の断面形状と略同一の孔形状を有するガイドロッド孔が形成される。ガイドロッド孔には、ガイドロッド１２８１６が挿入される。支持片１２８０８，１２８１０は、フレーム１２０２６に固定され、ガイドロッド１２８１６に対して摺動する。これにより、フレーム１２０２６及びフレーム１２０２６に固定された読み取り機構１２００７及び消去光光源１２０４０は、駆動方向に案内される。
【０２６１】
支持片１２８１２，１２８１４には、ボールネジ１２８１８のネジ形状に対応するネジ孔が形成される。ネジ孔には、ボールネジ１２８１８が螺合される。
【０２６２】
ガイドロッド１２８１６及びボールネジ１２８１８は、駆動方向に延在する。ガイドロッド１２８１６の両端は、筐体１２０２８に固定される。具体的な支持構造は図示を略すが、ボールネジ１２８１８の一端は、筐体１２０２８に回転可能な状態で支持され、ボールネジ１２８１８の他端は、モータ１２８２０のロータに結合される。モータ１２８２０のハウジングは、筐体１２０２８に固定される。
【０２６３】
モータ１２８２０がボールネジ１２８１８を回転させると、フレーム１２０２６及びフレーム１２０２６に固定された読み取り機構１２００７及び消去光光源１２０４０は、固定されたトレイ１２０８０に対して直線的に相対移動する。これにより、読み取り機構１２００７及び消去光光源１２０４０は、回転軸ＲＡに垂直な方向へ直線的に搬送される。
【０２６４】
トレイ駆動機構１２８０４は、トレイ１２０８０を駆動方向に送るローラ１２８２２と、ローラ１２８２２を回転させるモータ１２８２０と、を備える。
【０２６５】
ローラ１２８２２のローラ面は、トレイ１２０８０の底面に当接する。ローラ１２８２２は、モータ１２８２０のシャフトに結合される。モータ１２８２０のハウジングは、筐体１２０２８に固定される。
【０２６６】
モータ１２８２０がローラ１２８２２を回転させると、トレイ１２０８０は、筐体１２０２８から引き出されたイジェクト位置と筐体１２０２８へ押し入れられたロード位置との間で移動する。トレイ１２０８０がイジェクト位置にあるときに、トレイ１２０８０の保持面１２８２４にイメージングプレートＩＰが載置され、トレイ１２０８０の保持面１２８２４に載置されたイメージングプレートＩＰが回収される。トレイ１２０８０がロード位置にあるときに、トレイ１２０８０の保持面１２８２４に載置されたイメージングプレートＩＰの放射線像形成面Ｓに描画された放射線像が読み取り機構１２００７により読み取られる。
【０２６７】
消去光光源１２０４０は、フレーム１２０２６に固定され、読み取り機構１２００７と共にフレーム駆動機構１１２８０２の駆動により駆動方向に沿って移動し、消去を行う。
【０２６８】
トレイ１２０８０がロード位置にあり、イメージングプレートＩＰが読み取り装置１２００２の内部へ搬入された状態で、トレイ１２０８０とイメージングプレートＩＰとは筐体１２０２８と読み取り装置１２００２本体に対して固定状態にある。
【０２６９】
第１実施例の走査機構１０３６に相当する走査機構も読み取り機構１２００７の一部であるので、読み取り機構１２００７を構成する走査機構も、ロード位置において筐体１２０２８と読み取り装置１２００２本体に対して固定のトレイ１２０８０に対して相対移動される。励起光光源も読み取り機構１２００７の一部であり、読み取り機構１２００７を構成する走査機構と励起光光源は一体的に移動される。
【０２７０】
フレーム駆動機構１２８０２は、トレイ１２０８０からなる保持体を読み取り機構１２００７を構成する走査機構に対して回転軸ＲＡに垂直な方向へ相対的に移動させる相対移動機構の一例である。
【０２７１】
（１３  第１３実施形態）
第１３実施形態は、イメージングプレートＩＰの放射線像形成面Ｓから放射線像を読み取る放射線像の読み取り装置１３００２に関する。第１実施形態の読み取り装置１００２と第１３実施形態の放射線像の読み取り装置１３００２との主な違いは、第１実施形態の読み取り装置１００２は、固定された読み取り機構１００７に対して保持体（ベルト１０８０）を相対移動させるのに対して、第１３実施形態の読み取り装置１３００２は、保持体（ベルト１３０８０）及び読み取り機構１３００７の両方を移動させる点にある。以下では、この違いに特に着目して、第１３実施形態の読み取り装置１３００２について説明する。
【０２７２】
図２０は、読み取り装置１３００２の模式図である。図２０は、読み取り装置１３００２の断面図である。
【０２７３】
図２０に示すように、読み取り装置１３００２は、放射線像形成面Ｓから放射線像を読み取る読み取り機構１３００７と、イメージングプレートＩＰを保持するベルト１３０８０と、ベルト１３０８０を周回させるベルト駆動機構１３０８２と、消去光を放射する消去光光源１３０２４と、読み取り機構１３００７を収容するフレーム１３０２６と、読み取り機構１３００７をフレーム１３０２６ごと往復させるフレーム駆動機構１３８０２と、これらを収容する筐体１３０２８と、を備える。ベルト１３０８０及びベルト駆動機構１３０８２を備える第１３実施形態の搬送機構１３００６は、第１実施形態の搬送機構１００６と同様の機構であり、照射点Ｐを円運動させる走査機構を含む。
【０２７４】
筐体１０２８に形成された入口１３０９４に挿入され読み取り装置１２００２の内部へ搬入されたイメージングプレートＩＰは、ベルト１３００８の往路部分に保持される。ベルト１３００８の往路部分に保持されたイメージングプレートＩＰは、方向Ａへ搬送される。読み取り機構１３００７は、方向Ｂへ搬送される。ベルト１３０８０に保持されたイメージングプレートＩＰ及び読み取り機構１３００７は、読み取り装置１３００２の内部ですれちがい、読み取り機構１３００７は、放射線像形成面Ｓに描画された放射線像を読み取る。
【０２７５】
（読み取り機構１３００７の概略）
読み取り機構１３００７は、第１実施形態の読み取り機構１００７において移動しないフレーム１０２６に固定されていた構成物に相当する構成物が移動するフレーム１３０２６に固定されることを除いては、第１実施形態の読み取り機構１００７と同様の機構である。
【０２７６】
第１３実施形態のフレーム駆動機構１３８０２は、第１２実施形態のフレーム駆動機構１２８０２と同様の機構である。
【０２７７】
ベルト１３０８０の一部であるイメージングプレートＩＰの保持面は、イメージングプレートＩＰを搬送する搬送機構１３００６の構成要素であると共に、イメージングプレートＩＰを保持する保持体でもある。
【０２７８】
ベルト１３０８０の保持面は読み取り機構１３００７の走査機構に対し、回転軸ＲＡに垂直な方向へ移動し、保持面上に載置されたイメージングプレートＩＰは、読み取り機構１３００７の走査機構に対し、回転軸ＲＡに垂直な方向へ直線搬送される。イメージングプレートＩＰは読み取り機構１３００７の走査機構に対して直線的に相対移動される。
【０２７９】
フレーム駆動機構１３８０２の駆動により、読み取り機構１３００７は、ベルト１３０８０に対して直線的に相対移動する。これにより、読み取り機構１３００７は、回転軸ＲＡに垂直な方向へ直線的に搬送される。
【０２８０】
第１実施例の走査機構１０３６に相当する走査機構も読み取り機構１３００７の一部であるので、読み取り機構１３００７を構成する走査機構もベルト１３０８０の保持面に対して相対移動される。
【０２８１】
フレーム駆動機構１３８０２の駆動による読み取り機構１３００７の移動方向と搬送機構１３００６の駆動によるベルト１３０８０の保持面の移動は互いに反対方向である。
【０２８２】
搬送機構１３００６とフレーム駆動機構１３８０２とは、ベルト１３０８０の保持面からなる保持体を読み取り機構１３００７の走査機構に対して回転軸ＲＡに垂直な方向へ相対的に移動させる相対移動機構の一例である。
【０２８３】
固定された読み取り機構１００７に対して保持体（ベルト１０８０）を相対移動させる第１実施形態の読み取り装置１００２によれば、仮にイメージングプレートＩＰをベルト１０８０に載置してから走査のための読み取り機構１００７の搬送を始め、走査が済んだイメージングプレートＩＰがベルト１０８０に載置された状態のまま送出されるような構造にした場合、読み取り機構１００７の前後にイメージングプレートＩＰ載置のためのスペースが必要になり、ベルト１０８０のサイズがその分前後に大きくなる。これに対して、固定された保持体（トレー１２０８０）に対して読み取り機構１２００７を相対移動させる第１２実施形態の読み取り装置１２００２の構成を応用した本実施形態の読み取り装置１３００２によれば、読み取り機構１３００７も移動するので、予め読み取り機構１３００７を退避させておいてベルト１３０８０上にイメージングプレートＩＰを載置することができ、ベルト１３０８０と読み取り機構１３００７の双方を移動させて走査できるので、その分、ベルト１３０８０側のスペースが小さく済む。つまり、フットプリントが極端に広くならない。保持体（ベルト１３０８０）及び読み取り機構１３００７の両方を移動させる第１３実施形態の読み取り装置１３００２は、これらの両方の利点を有し、フットプリントを特に小さくすることができる。
【０２８４】
（１４  その他）
この発明は詳細に説明されたが、上述の説明は全ての局面において例示であって、この発明は上述の説明に限定されない。例示されていない無数の変形例が、この発明の範囲から外れることなく想定される。特に、第１実施形態〜第１３実施形態において説明した事項を組み合わせることは当然に予定されている。第１２実施形態の読み取り装置１２００２又は第１３実施形態の読み取り装置１３００２において、第２実施形態から第１０実施形態までの変形された実施形態を採用することも予定されている。
【符号の説明】
【０２８５】
１００２，１２００２，１３００２  読み取り装置
１００６，９００６，１０００６，１３００６  搬送機構
１００８，８００８  励起光光源
１０１０，６０１０ａ，８０１０  光検出器
１０１２，６０１２ａ，８０１２  光学フィルタ
１０１４，８０１４  固定ミラー
１０１６，８０１６  回転ミラー
１０１８，２０１８，３０１８，３０１８ａ，４０１８，５０１８，６０１８，６０１８ａ，７０１８  回転構造体
１０２２，６０２２，６０２２ａ，７０２２，８０２２  回転機構
１０２８，１２０２８，１３０２８  筐体
１０３２  集塵機構
１０３４，８０３４  励起光光学系
１０３６，８０３６  走査機構
１０４６，２０４６，３０４６，３０４６ａ，８０４６  導光部
１０４８，２０４８，３０４８，３０４８ａ，８０４８  入射口
１０５０，２０５０，３０５０，３０５０ａ，８０５０  出射口
１０８０，１３０８０  ベルト
１０８２，１３０８２  ベルト駆動機構
３２００  レンズ
４２００  エア流通孔
５２００  ファン羽根
１００７，８００７  読み取り機構
８０１８  固定構造体
９６０２，１０６０２  ステージ
９６０３，１０６０３  ステージ駆動機構
フレーム駆動機構１２８０２
ＩＰ，ＩＰ１〜ＩＰ４  イメージングプレート
ＥＬ  励起光
ＰＬ  輝尽光
Ｓ  放射線像形成面
ＲＡ  回転軸
ＳＰ  走査面
Ｐ  照射点
【図１】
2011053459.tif 000003
【図２】
2011053459.tif 000004
【図３】
2011053459.tif 000005
【図４】
2011053459.tif 000006
【図５】
2011053459.tif 000007
【図６】
2011053459.tif 000008
【図７】
2011053459.tif 000009
【図８】
2011053459.tif 000010
【図９】
2011053459.tif 000011
【図１０】
2011053459.tif 000012
【図１１】
2011053459.tif 000013
【図１２】
2011053459.tif 000014
【図１３】
2011053459.tif 000015
【図１４】
2011053459.tif 000016
【図１５】
2011053459.tif 000017
【図１６】
2011053459.tif 000018
【図１７】
2011053459.tif 000019
【図１８】
2011053459.tif 000020
【図１９】
2011053459.tif 000021
【図２０】
2011053459.tif 000022